(57)【特許請求の範囲】
【請求項１】
１フレーム当たりの走査線数が互いに異なる２種類の駆動信号のいずれも入力可能であり、液晶に印加される駆動信号の極性が走査線１ライン毎に反転し２端子素子によって駆動される液晶表示装置において、
前記駆動信号のうち１フレーム当たりの走査線数が多いほうの駆動信号が入力される場合に、前記１フレーム当たりの走査線数が多い駆動信号から所定数の走査線に相当する信号を間引き、
前記間引きされた信号に対応する走査線の直後の走査線１ライン分に相当する駆動信号であって非選択期間中に前記液晶に印加される第１の交流パルス列の極性は、前記間引きされた信号に対応する走査線の直前の走査線１ライン分に相当する駆動信号であって非選択期間中に前記液晶に印加される第２の交流パルス列と極性が反転された関係にあり、
前記第１の交流パルス列における最初のパルスが、選択期間中に前記液晶に印加される選択パルスの極性と同極性となる第１の副パルスと、前記選択パルスの極性と逆極性となる第２の副パルスとを備えることを特徴とする液晶表示装置。
【請求項２】
前記最初のパルスが、前記第１の副パルスとその後の前記第２の副パルスとから構成されていることを特徴とする請求項１記載の液晶表示装置。
【請求項３】
１フレーム当たりの走査線数が互いに異なる２種類の駆動信号のいずれも入力可能であり、液晶に印加される駆動信号の極性が走査線１ライン毎に反転し２端子素子によって駆動される液晶表示装置の駆動方法において、
前記駆動信号のうち１フレーム当たりの走査線数が多いほうの駆動信号が入力される場合に、前記１フレーム当たりの走査線数が多い駆動信号から所定数の走査線に相当する信号を間引き、
非選択期間中に前記液晶に印加される交流パルス列において、前記間引きされた信号に対応する走査線の直前と直後で極性を反転し、
前記間引きされた信号に対応する走査線の直後の走査線１ライン分に相当する駆動信号であって非選択期間中に前記液晶に印加される交流パルス列の最初のパルスとして、選択期間中に前記液晶に印加される選択パルスの極性と同極性となる第１の副パルスと、前記選択パルスの極性と逆極性となる第２の副パルスとを備えるパルスを印加することを特徴とする液晶表示装置の駆動方法。
【発明の詳細な説明】
【０００１】
【発明の属する技術分野】
本発明はＭＩＭ(ＴＦＤ）素子に代表される２端子素子によって駆動される液晶表示装置に関し、特にＮＴＳＣ（National  Television System Committe）信号およびＰＡＬ（Phase Alternation by Line）信号のいずれの信号でも駆動可能な液晶表示装置に関する。
【０００２】
【従来の技術】
ＮＴＳＣ方式においては走査線の数は５２５本であり、ＰＡＬ方式においては走査線の数は６２５本である。従って、同一の液晶表示装置をＮＴＳＣ信号およびＰＡＬ信号のいずれの信号によっても駆動しようとすれば、走査線数の多いＰＡＬ信号から所定の数の走査線を間引く（例えば、７本に１本ずつ間引く）ことが考えられるが、単純に間引くと、間引いたところだけコントラストが異なってくる。
【０００３】
【発明が解決しようとする課題】
従って、本発明の目的は、１フレーム当たりの走査線数が互いに異なる駆動方式の信号で駆動しても、走査線を間引いたところでのコントラストの変動が抑制された液晶表示装置を提供することにある。
【０００４】
【課題を解決するための手段】
本発明によれば、１フレーム当たりの走査線数が互いに異なる２種類の駆動信号のいずれも入力可能であり、液晶に印加される駆動信号の極性が走査線１ライン毎に反転し２端子素子によって駆動される液晶表示装置において、前記駆動信号のうち１フレーム当たりの走査線数が多いほうの駆動信号が入力される場合に、前記１フレーム当たりの走査線数が多い駆動信号から所定数の走査線に相当する信号を間引き、前記間引きされた信号に対応する走査線の直後の走査線１ライン分に相当する駆動信号であって非選択期間中に前記液晶に印加される第１の交流パルス列の極性は、前記間引きされた信号に対応する走査線の直前の走査線１ライン分に相当する駆動信号であって非選択期間中に前記液晶に印加される第２の交流パルス列と極性が反転された関係にあり、前記第１の交流パルス列における最初のパルスが、選択期間中に前記液晶に印加される選択パルスの極性と同極性となる第１の副パルスと、前記選択パルスの極性と逆極性となる第２の副パルスとを備えるようにしたことを特徴とする液晶表示装置が提供される。
【０００５】
また、前記最初のパルスが、前記第１の副パルスとその後の前記第２の副パルスとから構成されていることを特徴とする請求項１記載の液晶表示装置が提供される。
また、１フレーム当たりの走査線数が互いに異なる２種類の駆動信号のいずれも入力可能であり、液晶に印加される駆動信号の極性が走査線１ライン毎に反転し２端子素子によって駆動される液晶表示装置の駆動方法において、前記駆動信号のうち１フレーム当たりの走査線数が多いほうの駆動信号が入力される場合に、前記１フレーム当たりの走査線数が多い駆動信号から所定数の走査線に相当する信号を間引き、非選択期間中に前記液晶に印加される交流パルス列において、前記間引きされた信号に対応する走査線の直前と直後で極性を反転し、前記間引きされた信号に対応する走査線の直後の走査線１ライン分に相当する駆動信号であって非選択期間中に前記液晶に印加される交流パルス列の最初のパルスとして、選択期間中に前記液晶に印加される選択パルスの極性と同極性となる第１の副パルスと、前記選択パルスの極性と逆極性となる第２の副パルスとを備えるパルスを印加することを特徴とする。
【０００６】
１フレーム当たりの走査線数が互いに異なる２種類の駆動信号のうち、１フレーム当たりの走査線数が多いほうの駆動信号によって液晶表示装置を駆動する場合には、１フレーム当たりの走査線数が多いほうの駆動信号から所定の数の走査線に相当する信号を間引くが、本発明が適用される液晶表示装置においては液晶に印加される駆動信号の極性が走査線１ライン毎に反転しているので、単に走査線を間引くだけだと非選択期間において同極性のパルスが続いてしまうことになる。
【０００７】
従って、それを避けるために、間引きされた走査線の直後の走査線１ライン分に相当する駆動信号であって液晶に印加される駆動信号において非選択期間中に液晶に印加される交流パルス列を、間引きされた走査線の直前の走査線１ライン分に相当する駆動信号であって液晶に印加される駆動信号おいて非選択期間中に液晶に印加される交流パルス列の極性が反転されたものとする。
【０００８】
しかしながら、このようにすると、間引きされた走査線の直後の走査線１ライン分に相当する駆動信号であって液晶に印加される駆動信号において、非選択期間中に液晶に印加される交流パルス列のうちの最初のパルスが選択期間中に液晶に印加される選択パルスの極性と逆極性となり、その分液晶に充電されている電荷が抜けてしまうので、他のラインとは表示の濃淡が異なってくる。
【０００９】
そこで、間引きされた走査線の直後の走査線１ライン分に相当する駆動信号であって液晶に印加される駆動信号において、非選択期間中に液晶に印加される交流パルス列のうちの最初のパルスが、選択期間中に液晶に印加される選択パルスの極性と同極性の第１の副パルスと選択パルスの極性と逆極性の第２の副パルスとを備えるようにすることによって、液晶に蓄積されている電荷が抜けるのを防止して、他のラインとの間でコントラストを揃えている。
【００１０】
この場合に、好ましくは、非選択期間中に液晶に印加される交流パルス列のうちの最初のパルスが、上記第１の副パルスとその後の上記第２の副パルスとから構成されていることが好ましい。このようにすれば、まず、選択期間中に液晶に印加される選択パルスの極性と同極性の第１の副パルスが印加され、その後選択パルスの極性と逆極性の第２の副パルスが印加されることになるので、液晶に蓄積されている電荷が抜けるのをより有効に防止して、他のラインとの間でコントラストの差がより生じにくくなる。
【００１１】
なお、液晶に印加される駆動信号とは、例えば、液晶が２つの電極間に挟まれている場合には、これら２つの電極に印加される電圧間の電位差をいう。
【００１２】
【発明の実施の形態】
次に、図面を参照して本発明の一実施の形態を説明する。
【００１３】
図１は、本発明の一実施の形態の液晶表示装置において、液晶に印加される駆動信号の波形および液晶電位を説明するための波形図である。また、図２は本発明の液晶表示装置の等価回路図を示し、図３は本発明の液晶表示装置の断面図を示す。
【００１４】
図２及び図３において４３は駆動制御回路でありデータ信号回路４２及び走査信号駆動回路４１に駆動を制御する信号を供給している。データ信号回路４２はデータ信号をデータ線５０に供給し、走査信号駆動回路４１は走査信号を走査線５１に供給している。２端子素子５２は走査線５１及び画素電極５４を介して液晶層５３に接続されており、基板６１、６２間にある液晶層５３は２端子素子５２及びデータ線に接続されている。
【００１５】
次に図１を用いて本発明の液晶表示装置の駆動について説明する。本実施の形態では、ＮＴＳＣ信号およびＰＡＬ信号のいずれの信号のいずれの信号でも駆動可能な液晶表示装置であって、液晶に印加される駆動信号の極性が走査線１ライン毎に反転する液晶表示装置を例にとって説明する。
【００１６】
ＮＴＳＣ方式においては走査線の数は５２５本であり、ＰＡＬ方式においては走査線の数は６２５本である。従って、同一の液晶表示装置をＮＴＳＣ信号およびＰＡＬ信号のいずれの信号によっても駆動しようとすれば、走査線数の多いＰＡＬ信号から所定の数の走査線を間引く（例えば、７本に１本ずつ間引く）が、本実施の形態の液晶表示装置においては液晶に印加される駆動信号の極性が走査線１ライン毎に反転しているので、単に走査線を間引くだけだと非選択期間において同極性のパルスが続いてしまうことになる。
【００１７】
そこで、それを避けるために、間引きされた走査線の直後の走査線１ライン分に相当する駆動信号であって液晶に印加される駆動信号において非選択期間中に液晶に印加される交流パルス列を、間引きされた走査線の直前の走査線１ライン分に相当する駆動信号であって液晶に印加される駆動信号おいて非選択期間中に液晶に印加される交流パルス列の極性が反転されたものとする。
【００１８】
図１を参照してさらに具体的に説明すると、走査線を間引いていない領域の駆動信号および走査線を間引く直前の走査線１ライン分に相当する駆動信号の波形は、図１Ｂに示すようであり、選択期間中に液晶に印加される選択信号１１と非選択期間中に液晶に印加される交流パルス列３０とを備えている。交流パルス列３０のうちの最初のパルス３１の極性は選択パルス１１の極性と同じである。また、パルス３１のパルス幅はｔ１０である。
【００１９】
そして、間引きされた走査線の直後の走査線１ライン分に相当する駆動信号であって液晶に印加される駆動信号において非選択期間中に液晶に印加される交流パルス列２０を、間引きされた走査線の直前の走査線１ライン分に相当する駆動信号であって液晶に印加される駆動信号おいて非選択期間中に液晶に印加される交流パルス列３０（図１Ｂ参照）の極性が反転されたものとすると、図１Ｃに示すような駆動波形となる。この場合も、選択期間中に液晶に印加される選択信号１１と非選択期間中に液晶に印加される交流パルス列２０とを備えているが、交流パルス列２０のうちの最初のパルス２１の極性は選択パルス１１の極性と逆となり、その分液晶に充電されている電荷が抜けてしまい液晶電位が下がるので、他のラインとは表示の濃淡が異なってくる。なお、パルス２１のパルス幅はｔ１０である。
【００２０】
そこで、図１Ａに示すように、パルス２１の最初の方に選択パルス１１と同極性の副パルス２１１を設けることにより、液晶に蓄積されている電荷が抜けるのを防止して他のラインとの間でコントラストを揃えている。このようにすることによって、交流パルス列２０のうちの最初のパルス２１は、最初の方の副パルス２１１であって選択パルス１１と同極性の副パルス２１１と、最後の方の副パルス２１２であって選択パルス１１と逆極性の副パルス２１２とから構成されることになるが、副パルス２１１のパルス幅ｔ１１と副パルス２１２のパルス幅ｔ１２との比は、液晶表示装置に応じて適宜決められ、好ましくは、他のラインとの間でコントラストの差が最も少ないような値にされる。
【００２１】
【発明の効果】
本発明によれば、１フレーム当たりの走査線数が互いに異なる複数の駆動方式の信号でそれぞれ駆動可能な液晶表示装置を１フレーム当たりの走査線数が多い方の駆動方式の信号で駆動する場合に、走査線を間引いたところでのコントラストの変動を抑制することができる。
【図面の簡単な説明】
【図１】本発明の一実施の形態の液晶表示装置において、液晶に印加される駆動信号の波形を説明するための波形図である。
【図２】本発明の一実施の形態の液晶表示装置の等価回路図である。
【図３】本発明の一実施の形態の液晶表示装置の断面図である。
【符号の説明】
１１…選択パルス
２０、３０  交流パルス列
２１、３１  パルス
４０        液晶表示装置
４１        走査信号駆動回路
４２        データ信号駆動回路
４３        駆動制御回路
５０        データ線
５１        走査線
５２        ２端子素子
５３        液晶層
６１、６２  ガラス基板
２１１、２１２…副パルス
【図１】
0003757589.tif 000002
【図２】
0003757589.tif 000003
【図３】
0003757589.tif 000004